(57)【要約】【課題】ハンガー本体に垂直方向の外力に対して強固な構造のハンガーを提供する。【解決手段】ハンガーを組み立てるためのハンガー用シートであって、フックと本体とを有し、前記本体は立体形状となる二つの対称的な立体形成部を有し、それぞれの前記立体形成部は半円状の内側平面形成部とアーチ状のアーチ部と外側切込部と内側切込部とを有しており、前記外側切込部は半円弧状の切れ込みを有し前記アーチ部の外側の形状を形成しており、前記内側切込部は、前記アーチ部の内側の形状を形成するように前記外側切込部の内側に位置する半円弧状の切れ込みから更に１／４円弧状の切れ込みが延長された３／４円弧状の切れ込みを有し、前記アーチ部の内側の形状を形成する前記半円弧状の切れ込みの一部と前記１／４円弧状の切れ込みによって前記内側平面形成部の形状を形成している。【選択図】図１
0003155664.tif 000002
【実用新案登録請求の範囲】
【請求項１】
ハンガーを組み立てるためのハンガー用シートであって、
フックと、本体とを有し、
前記本体は、立体形状となる二つの対称的な立体形成部を有し、
それぞれの前記立体形成部は、半円状の内側平面形成部と、アーチ状のアーチ部と、外側切込部と、内側切込部とを有しており、
前記外側切込部は、半円弧状の切れ込みを有し、前記アーチ部の外側の形状を形成しており、
前記内側切込部は、前記アーチ部の内側の形状を形成するように前記外側切込部の内側に位置する半円弧状の切れ込みから更に１／４円弧状の切れ込みが延長された３／４円弧状の切れ込みを有し、前記アーチ部の内側の形状を形成する前記半円弧状の切れ込みの一部と前記１／４円弧状の切れ込みによって前記内側平面形成部の形状を形成している
ことを特徴とするハンガー用シート。
【請求項２】
請求項１に記載のハンガー用シートであって、
前記ハンガーを掛けたときの上下関係を基準にしたときに、前記内側切込部の前記内側平面形成部を形成する切れ込みが下側の半円弧状の切れ込みになっていることを特徴とするハンガー用シート。
【請求項３】
請求項１又は請求項２に記載のハンガー用シートであって、
前記アーチ部が外側から内側に向かって折り曲げられるように、前記外側切込部及び前記内側切込部が形成されていることを特徴とするハンガー用シート。
【請求項４】
請求項１〜３のいずれかに記載のハンガー用シートであって、
前記内側切込部の一部分によって、前記アーチ部の内側に、前記ハンガーの組み立て時に前記内側平面形成部の周面をガイド面にしてスライドさせながら前記アーチ部を折り曲げられるためのガイド部が形成されていることを特徴とするハンガー用シート。
【請求項５】
請求項１〜４のいずれかに記載のハンガー用シートであって、
前記内側平面形成部の外側に第１凹部が形成されており、
前記アーチ部の内側に第２凹部が形成されており、
前記ハンガーを組み立て時に前記第１凹部と前記第２凹部とが係合したときに、前記内側平面形成部及び前記アーチ部が前記本体に対して垂直になるような位置に、前記第１凹部及び前記第２凹部が形成されている
ことを特徴とするハンガー用シート。
【請求項６】
請求項５に記載のハンガー用シートであって、
前記ハンガーの組み立て時に前記アーチ部を折り曲げるほど前記内側平面形成部の外周が前記第２凹部に入り込むように、前記内側平面形成部の外形が前記内側切込部によって形成されていることを特徴とするハンガー用シート。
【考案の詳細な説明】
【技術分野】
【０００１】
本考案は、ハンガー用シートに関する。
【背景技術】
【０００２】
女性用の衣服を掛けるためのハンガーとして、一枚の紙を打ち抜き機で打ち抜いて製造した紙製のハンガーが知られている（特許文献１参照）。このハンガーでは、女性の乳房の形状をした屹立部の先端に帯状部を形成し、ハンガーの基体（ハンガー本体）に形成した切断線に帯状部を挿入することによって、紙製ハンガーを立体的な形状にしている。
【先行技術文献】
【特許文献】
【０００３】
【特許文献１】特開２００２−３４７４３号公報
【考案の概要】
【考案が解決しようとする課題】
【０００４】
上記特許文献１の紙製ハンガーでは、ハンガーの基体（ハンガー本体）に垂直な方向の外力が加わったときに、帯状部が切断線から抜け易く、また、帯状部自体が変形し易いため、ハンガーの立体的な形状を維持することが難しい。
【０００５】
本考案は、ハンガー本体に垂直方向の外力に対して強固な構造のハンガーを提供することを目的とする。
【課題を解決するための手段】
【０００６】
上記課題を解決するための本考案は、ハンガーを組み立てるためのハンガー用シートであって、フックと本体とを有し、前記本体は立体形状となる二つの対称的な立体形成部を有し、それぞれの前記立体形成部は半円状の内側平面形成部とアーチ状のアーチ部と外側切込部と内側切込部とを有しており、前記外側切込部は半円弧状の切れ込みを有し前記アーチ部の外側の形状を形成しており、前記内側切込部は、前記アーチ部の内側の形状を形成するように前記外側切込部の内側に位置する半円弧状の切れ込みから更に１／４円弧状の切れ込みが延長された３／４円弧状の切れ込みを有し、前記アーチ部の内側の形状を形成する前記半円弧状の切れ込みの一部と前記１／４円弧状の切れ込みによって前記内側平面形成部の形状を形成していることを特徴とするハンガー用シートである。
【０００７】
本考案の他の特徴については、本明細書及び添付図面の記載により明らかにする。
【考案の効果】
【０００８】
本考案によれば、ハンガー本体に垂直方向の外力に対して強固な構造のハンガーを提供することができる。
【図面の簡単な説明】
【０００９】
【図１】組み立て後のハンガーの斜視図である。
【図２】本実施形態のハンガー用シート１の説明図である。
【図３】右側の立体形成部１０（右胸部に相当する部分）の説明図である。
【図４】水平面形成部を折り曲げたときのハンガーの説明図である。
【図５】水平面形成部をハンガー本体３に対してほぼ直角に折り曲げたときの立体形成部の様子の説明図である。
【図６】一方の立体形成部の水平面形成部１１の外側とアーチ部の内側とを係合させたときのハンガーの説明図である。
【図７】第１変形例のハンガー用シートの説明図である。
【図８】第２変形例のハンガー用シートの説明図である。
【考案を実施するための形態】
【００１０】
＝＝＝概要＝＝＝
本明細書及び添付図面の記載により、以下の事項が明らかとなる。
【００１１】
ハンガーを組み立てるためのハンガー用シートであって、フックと本体とを有し、前記本体は立体形状となる二つの対称的な立体形成部を有し、それぞれの前記立体形成部は半円状の内側平面形成部とアーチ状のアーチ部と外側切込部と内側切込部とを有しており、前記外側切込部は半円弧状の切れ込みを有し前記アーチ部の外側の形状を形成しており、前記内側切込部は、前記アーチ部の内側の形状を形成するように前記外側切込部の内側に位置する半円弧状の切れ込みから更に１／４円弧状の切れ込みが延長された３／４円弧状の切れ込みを有し、前記アーチ部の内側の形状を形成する前記半円弧状の切れ込みの一部と前記１／４円弧状の切れ込みによって前記内側平面形成部の形状を形成していることを特徴とするハンガー用シートが明らかになる。  
このようなハンガー用シートによれば、ハンガー本体に垂直方向の外力に対して強固な構造のハンガーを提供することができる。
【００１２】
前記ハンガーを掛けたときの上下関係を基準にしたときに、前記内側切込部の前記内側平面形成部を形成する切れ込みが下側の半円弧状の切れ込みになっていることが望ましい。また、前記アーチ部が外側から内側に向かって折り曲げられるように、前記外側切込部及び前記内側切込部が形成されていることが望ましい。これにより、胸元に相当する領域を広くできる。
【００１３】
前記内側切込部の一部分によって、前記アーチ部の内側に、前記ハンガーの組み立て時に前記内側平面形成部の周面をガイド面にしてスライドさせながら前記アーチ部を折り曲げられるためのガイド部が形成されていることが望ましい。これにより、正確な組み立てを行うことができる。
【００１４】
前記内側平面形成部の外側に第１凹部が形成されており、前記アーチ部の内側に第２凹部が形成されており、前記ハンガーを組み立て時に前記第１凹部と前記第２凹部とが係合したときに、前記内側平面形成部及び前記アーチ部が前記本体に対して垂直になるような位置に、前記第１凹部及び前記第２凹部が形成されていることが望ましい。これにより、正確な組み立てを行うことができる。
【００１５】
前記ハンガーの組み立て時に前記アーチ部を折り曲げるほど前記内側平面形成部の外周が前記第２凹部に入り込むように、前記内側平面形成部の外形が前記内側切込部によって形成されていることが望ましい。これにより、組み立て後の第１凹部と第２凹部との係合が外れにくくなる。
【００１６】
＝＝＝ハンガー＝＝＝
本実施形態のハンガー用シートの説明を容易にするため、組み立てられたハンガーの説明を先に行う。
【００１７】
図１は、組み立て後のハンガーの斜視図である。図中の矢印で示すように、以下の説明では、ハンガー１を掛けたときに上になる側を「上」とし、下になる側を「下」として説明する。また、ハンガー１を人体に見立てたときの体幹側を「内側」とし、その外側を「外側」として説明する。また、ハンガー１を人に見立てたときのその人の右側を「右」とし、その人の左側を「左」とし、その人の前側を「前」とし、その人の後ろ側を「後」として説明する。
【００１８】
ハンガー１は、フック２及びハンガー本体３から構成される。フック２は、ハンガー本体３の上側に一体的に形成されている。ハンガー本体３は、女性の胴体の幅や肩幅に相当する幅を有している。ハンガー本体３に例えば女性用の衣服を吊してハンガーラックのレール等にフック２を引っ掛けることによって、衣服を掛けることができる。
【００１９】
ハンガー本体３は、他にもショルダー部３Ａや広告領域３Ｂを有する。  
ショルダー部３Ａは、ハンガー１に掛ける衣服を支える部分である。袖のある衣服を掛ける場合、ショルダー部３Ａは、衣服のショルダー部分を支えることになる。また、ブラジャーやキャミソール等の袖無しの下着や衣服を掛ける場合、肩紐をショルダー部３Ａに吊すことになる。  
広告領域３Ｂは、ハンガー本体３の平らな領域である。例えば図中の点線の領域に、衣服を製造した製造元の企業名や、「大安売り」等の宣伝文句や、値段などを印刷することができる。このため、広告領域３Ｂは、印刷スペースに充分な面積が必要である。但し、広告領域に広告を印刷しなくても良い。
【００２０】
本実施形態のハンガー本体３は、二つの立体形成部１０を有する。立体形成部１０は、組み立て後に前方に突出するような立体形状になる部分である。立体形成部１０は、衣服の立体的形状を崩さないようにするため、衣服の内側から衣服の形状を保持する。このため、立体形成部１０は、ハンガー１に掛けられた衣服の胸部に相当する位置に設けられている。また、立体形成部１０は、ハンガー本体３上で左右対称に二つ形成されている。
【００２１】
それぞれの立体形成部１０は、水平面形成部１１と、アーチ部１２とを有する。水平面形成部１１は、組み立て後のハンガー１において水平な面となる半円状の部分である。アーチ部１２は、組み立て後のハンガー１において水平面形成部１１を跨ぐアーチ状（半円弧状、弓状）の部分である。平面形成部１１は、アーチ部１２に対して、内側に位置する内側平面形成部となる。  
水平面形成部１１とアーチ部１２は、組み立て後に、互いの面を交差させながら、ともにハンガー本体３に対して垂直な面を有するようになる。また、水平面形成部１１の外側とアーチ部１２の内側とが係合し、水平面形成部１１がアーチ部１２を内側から支える構造になる。これにより、本実施形態のハンガー１の立体形成部１０は、ハンガー本体３に垂直な方向の外力に対して強固な構造になる。
【００２２】
特に、立体的な形状のハンガーは、衣服の内側から衣服の形状を保持させるため、ハンガー本体３に垂直な方向の外力が立体形成部にかかりやすい。したがって、本実施形態のハンガー１は、立体形成部１０を強固な構成にすることにより、ハンガー１の故障を効果的に抑制できる。
【００２３】
本実施形態のハンガー１は、マネキンを使って衣服を展示したときのように、立体感・ボリューム感を持たせて衣服を展示することができる。また、ハンガーラックに多数の衣服を陳列する場合には、人の目に付きやすいエンドゾーンの衣服は組み立てたハンガー１（立体的なハンガー）に掛けて展示し、中央部に陳列される衣服は組み立て前のハンガー１（シート状のハンガー）に掛ければ、狭いスペースに多くの衣服を効果的に陳列できる。
【００２４】
なお、本実施形態のハンガー１にズボンを吊しても良い。この場合、ヒップラインの立体感・ボリューム感を持たせてズボンを展示することができる。
【００２５】
＝＝＝ハンガー用シート＝＝＝
次に、上記のハンガー１を組み立てるためのハンガー用シート１について説明する。
【００２６】
本実施形態のハンガー用シート１は、紙製のシート（板紙）でできている。ハンガー用シート１は、衣服を掛けたときの荷重に耐えられるだけの厚みを有しており、例えば段ボールでできている。濡れた衣服が掛けられるように、シートの表面に防水加工が施された紙を用いても良い。また、ハンガー用シート１の材質を、紙ではなく、ＰＥＴ樹脂やプラスチック製にしても良い。
【００２７】
図２は、本実施形態のハンガー用シート１の説明図である。図３は、右側の立体形成部１０（右胸部に相当する部分）の説明図である。既に説明した部位には同じ符号を付している。
【００２８】
ここでは、フック２及びハンガー本体３については説明を省略し、主に右側の立体形成部１０（右胸部に相当する立体形成部１０であり、図面上では左側の立体形成部１０）について説明する。なお、左側の立体形成部１０（左胸部に相当する部分）は、右側の立体形成部１０と左右対称なだけなので、説明を省略する。
【００２９】
立体形成部１０は、既に説明した水平面形成部１１及びアーチ部１２を有すると共に、これらを形成するための内側切込部２１と、外側切込部２２とを有する。これらの切込部は、打ち抜き機を用いて打ち抜いて形成された切れ込みである。図中では、内側切込部２１及び外側切込部２２が太線で示されている。
【００３０】
内側切込部２１は、図中の点Ｏ（図３参照）を中心とする３／４円弧状の切れ込みである。内側切込部２１は、点Ｏから見て３時の位置から時計方向に１２時の位置にわたって形成されている。外側切込部２２は、図中の点Ｏを中心とする半円弧状の切れ込みである。外側切込部２２は、点Ｏから見て６時の位置から時計方向に１２時の位置にわたって形成されている。外側切込部２２は、内側切込部２１よりも外側に形成されている。前述の半円弧状のアーチ部１２を形成するようにほぼ同心に半円弧状の外側切込部２２と内側切込部２１とが形成されており、水平面形成部１１を形成するために内側切込部２１は更に１／４円弧状の切れ込みが延長されている。
【００３１】
内側切込部２１は、水平面用切込部２１Ａと、水平面側凹部２１Ｂと、アーチ部側凹部２１Ｃと、ガイド用切込部２１Ｄと、アーチ部用切込部２１Ｅとを有する。
【００３２】
水平面用切込部２１Ａは、水平面形成部１１を形成するための半円弧状の切れ込みである。水平面用切込部２１Ａは、点Ｏから見て３時の位置から時計方向に９時の位置にわたって形成されている。水平面用切込部２１Ａのうち、点Ｏから見て３時の位置から時計方向に６時の位置までの切れ込みは、水平面形成部１１の外形を形成するためだけ切れ込みである。
【００３３】
一方、水平面用切込部２１Ａのうち、点Ｏから見て６時の位置から時計方向に９時の方向までの切れ込みは、水平面形成部１１の外形を形成するためだけでなく、アーチ部１２の内側の形状を形成するための切れ込みでもある。この部分の切れ込みは、９時の位置から反時計回りに６時の位置までにわたって点Ｏとの間隔が徐々に長くなるように形成されている。これにより、点Ｏから９時の位置の切れ込みまでの間隔よりも、点Ｏから６時の位置の切れ込みまでの間隔が長くなっている。これにより、組み立て後に、水平面形成部１１の外側とアーチ部１２の内側との係合が外れにくくなる（後述）。
【００３４】
水平面側凹部２１Ｂは、点Ｏから見て６時の位置に水平面用切込部２１Ａ上の水平面形成部１１の側に形成された凹形状の切欠である。アーチ部側凹部２１Ｃは、点Ｏから見て９時の位置に水平面用切込部２１Ａ上のアーチ部１２の側に形成された凹状の切欠である。水平面側凹部２１Ｂも、アーチ部側凹部２１Ｃも、ハンガー用シート１の厚さ分の幅の切欠になっている。組み立て時に水平面側凹部２１Ｂとアーチ部側凹部２１Ｃとが互いに係合することによって、水平面形成部１１の外側とアーチ部１２の内側とが係合し、水平面形成部１１がアーチ部１２を内側から支える構造になる。
【００３５】
ガイド用切込部２１Ｄは、水平面用切込部２１Ａとアーチ部用切込部２１Ｅとの間に形成された水平方向の切れ込みである。点Ｏから見て９時の位置において、水平面用切込部２１Ａの端部よりも９時の位置のアーチ部用切込部２１Ｅの端部の方が内側に位置しているため、これらの端部を連結するようにガイド用切込部２１Ｄが形成されている。これにより、水平面形成部１１のガイド用切込部２１Ｄの周辺は、組み立て時に外側に突出する。この突出した幅分の水平面形成部１１の周面（図中のハッチングの領域）は、組み立て時にガイド面１１Ａとして機能する（後述）。また、アーチ部１２の内側のガイド用切込部２１Ｄの周辺には、水平な辺であるガイド部１２Ａが形成される。このガイド部１２Ａは、組み立て時に、水平面形成部１１のガイド面１１Ａに案内されることになる（後述）。
【００３６】
アーチ部用切込部２１Ｅは、図中の点Ｏを中心とする１／４円弧状の切れ込みである。アーチ部用切込部２１Ｅは、点Ｏから見て９時の位置から時計回りに１２時の位置にわたって形成されている。アーチ部用切込部２１Ｅは、アーチ部１２の内側の形状を形成するための切れ込みである。つまり、アーチ部１２の内側は、水平面用切込部２１Ａの一部（点Ｏから見て６時の位置から時計方向に９時の位置までの切れ込み）と、アーチ部用切込部２１Ｅとによって、形成されている。
【００３７】
外側切込部２２は、半円弧状の切れ込みであり、アーチ部１２の外側の形状を形成するための切れ込みである。
【００３８】
組み立て時に組立作業を容易にするために、ハンガー用シート１には水平面用折れ線３１と、アーチ部用折れ線３２が予め加工されている。
【００３９】
水平面用折れ線３１は、組み立て時に水平面形成部１１を折り曲げやすくするための折れ線である。この水平面用折れ線３１は、水平面用切込部２１Ａの端部同士を結ぶように水平方向に形成された折れ線である。言い換えると、水平面用折れ線３１は、内側切込部２１の３時の位置と９時の位置とを結ぶように水平方向に形成された折れ線である。組み立て時には、この折れ線は谷線になる。なお、水平面形成部１１は、水平面用切込部２１Ａと水平面用折れ線３１によって囲まれた領域になる。
【００４０】
アーチ部用折れ線３２は、組み立て時にアーチ部１２を折り曲げやすくするための折れ線である。このアーチ部用折れ線３２は、一直線上に配置された上側折れ線３２Ａと下側折れ線３２Ｂの二つの折れ線から構成されている。上側折れ線３２Ａは、点Ｏから見て１２時の方向において、内側切込部２１（アーチ部用切込部２１Ｅ）の端部と、外側切込部２２の端部とを結ぶように上下方向に形成された折れ線である。また、下側折れ線３２Ｂは、点Ｏから見て６時の方向において、水平面用切込部２１Ａの最下点（水平面側凹部２１Ｂが形成された位置）と、外側切込部２２の端部とを結ぶように上下方向に形成された折れ線である。このため、アーチ部用折れ線３２は、水平面用折れ線３１に対して直交する方向の折れ線になっている。組み立て時には、アーチ部用折れ線３２（上側折れ線３２Ａ及び下側折れ線３２Ｂ）は谷線になる。なお、アーチ部１２は、内側切込部２１と上側折れ線３２Ａと外側切込部２２と下側折れ線３２Ｂとによって囲まれた領域になる。
【００４１】
なお、これまで説明した点Ｏは、上側折れ線３２Ａと下側折れ線３２Ｂとを結ぶ仮想線と、水平面用折れ線３１との交点に相当する位置である。
【００４２】
＝＝＝ハンガー１の組み立て方法＝＝＝
次に、ハンガー１の組み立て時の様子を説明する。
【００４３】
図４は、水平面形成部を折り曲げたときのハンガーの説明図である。このように、組立作業者は、水平面用切込部２１Ａで水平面形成部１１がハンガー本体３から分離されるように、水平面形成部１１を折り曲げる。つまり、組立作業者は、水平面形成部１１を下から上に向かって折り曲げる。そして、作業者は、水平面形成部１１がハンガー本体３に対して垂直になるまで、水平面形成部１１を折り曲げる。つまり、組立作業者は、水平面用折れ線３１が直角に谷折りされるように、水平面形成部１１をハンガー本体３に対して直角に折り曲げる。
【００４４】
図５は、水平面形成部をハンガー本体３に対してほぼ直角に折り曲げたときの立体形成部の様子の説明図である。  
水平面形成部１１をハンガー本体３に対して直角に折り曲げると、水平面形成部１１のガイド用切込部２１Ｄの周辺が、外側に突出した状態になる。そして、この突出した部分のすぐ上には、アーチ部１２のガイド部１２Ａが位置している。このため、作業者は、図５に示すような状態からアーチ部１２を折り曲げるときに、ガイド部１２Ａを水平面形成部１１のガイド面１１Ａ（図３のハッチングの領域）によって案内させてスライドさせることができる。
【００４５】
このように、作業者が、ガイド部１２Ａをガイド面１１Ａにスライドさせながらアーチ部を折り曲げることによって、水平面形成部１１をハンガー本体３に対して確実に垂直にすることができる。すなわち、仮に水平面形成部１１がハンガー本体３に対して垂直以上に折り曲げられた状態であっても、作業者がアーチ部を折り曲げれば、ガイド部１２Ａがガイド面１１Ａを押し下げるので、水平面形成部１１がハンガー本体３に対して垂直になるように修正される。また、仮に水平面形成部１１がハンガー本体３に対して垂直に至らないような曲げ方であっても、作業者がガイド部１２Ａをガイド面１１Ａにスライドさせながらアーチ部を折り曲げれば、水平面形成部１１がハンガー本体３に対して垂直になるように修正される。
【００４６】
また、水平面形成部１１の外側には、水平面形成部１１の厚さ分の幅の切欠であるアーチ部側凹部２１Ｃが形成されている。このため、水平面形成部１１がハンガー本体３に対して垂直になるように修正されて、水平面形成部１１のガイド面１１Ａがアーチ部側凹部２１Ｃに一旦入り込めば、アーチ部側凹部２１Ｃによって水平面形成部１１のガイド面１１Ａの上下の動きが規制される。つまり、水平面形成部１１とハンガー本体３との角度が直角のまま維持される。
【００４７】
また、既に説明したように、内側切込部２１がＯ点の９時の位置から反時計回りに６時の位置までにわたって点Ｏとの間隔が徐々に長くなるように形成されている（図３参照）。このため、アーチ部を折り曲げるほど、水平面形成部１１の外周（図３のハッチングの領域であるガイド面１１Ａ）がアーチ部側凹部２１Ｃに徐々に入り込んでくる。更に作業者がアーチ部を曲げると、ガイド面１１Ａがアーチ部側凹部２１Ｃに入りきり、アーチ部側凹部２１Ｃが水平面形成部１１から水平方向の作用力を受けるようになり、アーチ部１２がハンガー本体３に対して前側に押され、アーチ部用折れ線３２が水平面用折れ線３１よりも若干前に位置するようにハンガー本体３が若干撓んでくる。そして、作業者がアーチ部側凹部２１Ｃを水平面側凹部２１Ｂの位置までアーチ部１２を折り曲げたときには、ハンガー本体３の撓みによる弾性力によって、アーチ部側凹部２１Ｃが水平面側凹部２１Ｂに向かう方向に力が働き、アーチ部側凹部２１Ｃが水平面側凹部２１Ｂに自然に嵌り込む。つまり、内側切込部２１がＯ点の９時の位置から反時計回りに６時の位置までにわたって点Ｏとの間隔が徐々に長くなるように形成されているため（図３参照）、アーチ部側凹部２１Ｃと水平面側凹部２１Ｂとの係合が外れにくくなり、組み立て後の水平面形成部１１の外側とアーチ部１２の内側との係合が外れにくくなる。
【００４８】
図６は、一方の立体形成部の水平面形成部１１の外側とアーチ部の内側とを係合させたときのハンガーの説明図である。
【００４９】
水平面形成部１１とハンガー本体３との角度が直角に維持されたまま、アーチ部側凹部２１Ｃと水平面側凹部２１Ｂとが係合することによって、アーチ部１２も、ハンガー本体３に対して垂直な状態になる。しかも、水平面用折れ線３１とアーチ部用折れ線３２とが互いに直交する方向の折れ線になっているため、水平面形成部１１とアーチ部１２は、互いの面を交差させながら、ともにハンガー本体３に対して垂直な面を有するようになる。また、アーチ部側凹部２１Ｃと水平面側凹部２１Ｂとが係合することによって、水平面形成部１１がアーチ部１２を内側から支える構造になる。これにより、本実施形態のハンガー１の立体形成部１０は、ハンガー本体３に垂直な方向の外力に対して強固な構造になる。
【００５０】
なお、図６では右側の立体形成部１０（右胸部に相当する立体形成部１０であり、図面上では左側の立体形成部１０）だけが組み立てられているが、左側の立体形成部１０（左胸部に相当する部分）も同様に組み立てられれば、図１のような立体的なハンガー１が完成する。
【００５１】
本実施形態のハンガー用シート１は、組み立て前にはシート状であるため、嵩張らないため、搬送が容易である。また、本実施形態のハンガー用シート１は、簡単な作業で立体的なハンガー１を組み立てることができるので、現場での組立作業が容易になる。特に、人の目に付きやすいエンドゾーンの衣服だけを立体的なハンガー１に掛けて展示する場合には、購買者がエンドゾーンの衣服を購入するたびに販売者がハンガー１を組み立てる必要があり、販売現場での頻繁なハンガー１の組み立てが想定されるので、簡単な作業で組み立てられるハンガー１の利便性は高い。
【００５２】
また、本実施形態のハンガー用シート１では、水平面用切込部２１Ａが下側の半円弧状の切れ込みになっているため、水平面形成部１１が下から上に向けて持ち上げて折り曲げられるように組み立てられる（図３参照）。これにより、広い広告領域３Ｂ（図１参照）を確保することができる。なお、広告領域３Ｂは、ハンガー１を女性の上半身に見立てると女性の胸元の領域に相当するが、本実施形態のハンガー用シート１では、水平面用切込部２１Ａが下側の半円弧状の切れ込みになっているため、胸元に相当する領域に切れ込みが入らずに済み、胸元を美しくできる。
【００５３】
また、本実施形態のハンガー用シート１では、アーチ部１２を形成するための半円弧状の外側切込部２２と内側切込部２１の一部とが外側に設けられているため、アーチ部１２が外側から内側に向けて折り曲げられて組み立てられる。これにより、広い広告領域３Ｂを確保することができる。また、本実施形態のハンガー用シート１では、アーチ部１２が外側から内側に向けて折り曲げられて組み立てられるため、胸元に相当する領域に切れ込みが入らずに済み、胸元を美しくできる。
【００５４】
＝＝＝変形例＝＝＝
＜第１変形例＞
図７は、第１変形例のハンガー用シートの説明図である。
【００５５】
前述の実施形態では水平面用切込部２１Ａが「下側」の半円弧状の切れ込みになっていたのに対し、第１変形例では、水平面用切込部２１Ａが「上側」の半円弧状の切れ込みになっている。したがって、組み立て時には、水平面形成部１１が上から下に向かって折り曲げられて組み立てられることになる。このため、組み立て後のハンガー１には、組み立て前の水平面形成部１１の領域に空洞ができ、広告領域３Ｂが狭くなる。また、胸元に相当する領域に空洞ができてしまう。
【００５６】
但し、第１変形例のハンガー用シート１であっても、前述の実施形態と同様に、外力に対して強固な構造のハンガーを提供することができる。
【００５７】
＜第２変形例＞
図８は、第２変形例のハンガー用シートの説明図である。
【００５８】
前述の実施形態ではアーチ部１２を形成するための半円弧状の外側切込部２２と内側切込部２１の一部とが「外側」に設けられていたのに対し、第２変形例では、アーチ部１２を形成するための半円弧状の外側切込部２２と内側切込部２１の一部とが「内側」に設けられている。したがって、組み立て時には、アーチ部１２が内側から外側に向かって折り曲げられて組み立てられることになる。このため、組み立て後のハンガー１には、組み立て前のアーチ部１２の領域に空洞ができ、広告領域３Ｂが狭くなる。また、胸元に相当する領域に空洞ができてしまう。
【００５９】
但し、第２変形例のハンガー用シート１であっても、前述の実施形態と同様に、外力に対して強固な構造のハンガーを提供することができる。
【符号の説明】
【００６０】
１  ハンガー又はハンガー用シート、２  フック、
３  ハンガー本体、３Ａ  ショルダー部、３Ｂ  広告領域、
１０  立体形成部、
１１  水平面形成部、１１Ａ  ガイド面、
１２  アーチ部、１２Ａ  ガイド部、
２１  内側切込部、２１Ａ  水平面用切込部、２１Ｂ  水平面側凹部、
２１Ｃ  アーチ部側凹部、２１Ｄ  ガイド用切込部、２１Ｅ  アーチ部用切込部、
２２  外側切込部、
３１  水平面用折れ線、
３２  アーチ部用折れ線、３２Ａ  上側折れ線、３２Ｂ  下側折れ線
【図１】
0003155664.tif 000003
【図２】
0003155664.tif 000004
【図３】
0003155664.tif 000005
【図４】
0003155664.tif 000006
【図５】
0003155664.tif 000007
【図６】
0003155664.tif 000008
【図７】
0003155664.tif 000009
【図８】
0003155664.tif 000010